(57)【要約】【課題】公衆網等の電話回線の接続が正常であるか否かを監視する通信装置を提供。【解決手段】電話回線を接続する回線コネクタ12と、電話回線を使用して通話する電話端末を接続する電話コネクタ14と、回線コネクタ12と電話コネクタ14とを接続し通信網を終端し呼接続を制御する網制御部28と、網制御部28の出力をディジタル信号に変換するCODEC 30と、ディジタル信号を演算処理してダイヤルトーンを検出するDSP 32と、電話回線を監視する際に、網制御手段にて直流ループを形成させ、DSP 32にダイヤルトーンを検出させる制御回路(CPU) 34とを含み、DSP 32の検出結果に基づいて回線コネクタ12にダイヤルトーン信号が供給されているか否かを判定し、判定結果に応じた出力を表示する。【選択図】図１
2005184177.tif 000002
【特許請求の範囲】
【請求項１】
通信網側から給電される電話回線を接続する通信装置において、該装置は、
前記電話回線を着脱自在に接続する電話回線接続手段と、
前記電話回線を使用して通話する電話端末を着脱自在に接続する電話端末接続手段と、
前記電話回線接続手段と前記電話端末接続手段とに接続され、前記電話回線側の通信網を終端するとともに該通信網との呼接続を制御する網制御手段と、
該網制御手段に接続され、該網制御手段の出力をディジタル信号に変換する変換手段と、
該変換手段にて変換されたディジタル信号を演算処理して、ダイヤルトーンを検出する演算処理手段と、
前記電話回線を監視する際に、前記網制御手段を制御して前記電話回線に直流ループを形成させ、前記演算処理手段に前記ダイヤルトーンを検出させる処理制御手段とを含み、
該処理制御手段は、
前記演算処理手段の検出結果に基づいて前記電話回線接続手段に前記通信網からのダイヤルトーン信号が前記電話回線を介して供給されているか否かを判定する判定手段と、
該判定手段の判定結果に応じた出力を表示する表示手段とを含むことを特徴とする通信装置。
【請求項２】
請求項１に記載の通信装置において、該装置は、前記処理制御手段に接続され、コンピュータネットワークとの接続制御を行うLANインタフェース手段と、LANケーブルを着脱可能に接続するLAN接続手段とを含み、
前記処理制御手段は、前記コンピュータネットワークを介在して音声通話を行うためのVoIP処理を行って、音声パケットを前記LANインタフェース手段を介して前記コンピュータネットワークと送受信することを特徴とする通信装置。
【発明の詳細な説明】
【技術分野】
【０００１】
本発明は、有線の通信回線を接続して情報通信を行う通信装置に係り、通信回線が正常状態で接続されているか否かを検出する通信装置に関するものである。
【背景技術】
【０００２】
近年、電話回線に各種変復調装置を接続し、コンピュータ装置と変復調装置とを接続し、たとえば、パソコンを操作して所望のインターネットサービスプロバイダを介してコンピュータ網であるインターネット上のサーバに高速に接続することができる。ADSL回線を使用する場合には、LANケーブルを介してパソコンをADSLモデムに接続し、ADSL回線が引き込まれたモジュラジャックとADSL回線との間に帯域分割を行うスプリッタを挿入する。このスプリッタは、従来の電話機を別のコネクタに接続して、通常のアナログ通話を行うことができる。この場合、既存の電話機はスプリッタを通して従来同様に電話の発着信を行うことができる。
【０００３】
このようなインターネット接続環境下ではさらに、インターネットプロトコル網を利用して電話通信を行うVoIPの研究開発も行われている。この場合、VoIP技術が適用されたIP電話機はたとえばルータを介してADSLモデムに接続することができる。また、従来のアナログ電話端末を使用してVoIPによる電話通信を行う場合には、VoIP機能を備えるIP電話アダプタ等の通信装置を用意して、このIP電話アダプタに電話端末とADSLモデムとを接続することにより、既存端末を利用したVoIP電話通信が行われる。
【０００４】
このようなIP電話アダプタや変復調装置等の通信装置の回線接続部分は、たとえば６極のRJ-11型モジュラジャックと、それに対応するモジュラプラグとによって着脱可能な構成を採用している。このため特別な資格や技術等を有しない一般の使用者側による機器の設置を行うことができる。
【０００５】
なお、ディジタルによる情報通信が行われる通信機器を通信回線に接続する10BASE-Tおよび100BASE-T等のLANケーブルやISDN回線の宅内ディジタル配線部分では、８極のRJ-45型モジュラジャックおよびそのプラグが使用されている。
【０００６】
特許文献１では、通信機器のモジュラジャックの回線ラインと電話機ラインとのケーブルを逆挿入した誤接続を検出する回線誤接続検出装置が開示されている。
【０００７】
【特許文献１】特開平８−４６７１９号公報
【発明の開示】
【発明が解決しようとする課題】
【０００８】
上述したようIP電話およびモデム等の通信機器や電話機などは、モジュラプラグを操作してモジュラジャックに簡単に脱着することができるので便利であり、接続が完了してしまえば、通信回線が確実に接続されたと考えがちである。通信機器の初期設置の場合には、各種ソフトウエアをコンピュータ装置に導入したり、IP電話通信のための設定をIP電話アダプタに設定したりする登録操作が必要になっている。
【０００９】
ここで、これら設置作業を終了して、たとえば、発信や着信が正常にできない場合が考えられる。電話機から発信音がしない場合、各種登録にミスがあったか否かを確認したり、さらに電話機自体の接続を確認したりするとともに、IP電話アダプタおよびスプリッタ間などの接続配線を確認する必要がある。
【００１０】
また、RJ-45型モジュラジャックには、それより小型のRJ-11型のモジュラプラグを差し込むことが可能であるので、回線側のモジュラプラグを、電話機側だけではなく、LAN側のモジュラジャックに誤挿入してしまう可能性もある。
【００１１】
また、これら通信回線の異常を通信機器側にてたとえば回線極性によって検出する場合には、その正常時と異常時との極給電の基準極性に応じた回路構成が必要であった。つまりL1およびL2が逆に配線されて、たとえば回線接続部においてループ電流が逆方向に流れる場合でも誤接続を正常に検出する回路構成が求められる。
【００１２】
本発明はこのような従来技術の欠点を解消し、公衆網等の電話回線の接続が正常であるか否かを監視することができる通信装置を提供することを目的とする。
【課題を解決するための手段】
【００１３】
本発明は上述の課題を解決するために、通信網側から給電される電話回線を接続する通信装置において、この装置は、電話回線を着脱自在に接続する電話回線接続手段と、電話回線を使用して通話する電話端末を着脱自在に接続する電話端末接続手段と、電話回線接続手段と電話端末接続手段とに接続され、電話回線側の通信網を終端するとともに通信網との呼接続を制御する網制御手段と、網制御手段に接続され、網制御手段の出力をディジタル信号に変換する変換手段と、変換手段にて変換されたディジタル信号を演算処理して、ダイヤルトーンを検出する演算処理手段と、電話回線を監視する際に、網制御手段を制御して電話回線に直流ループを形成させ、演算処理手段に前記ダイヤルトーンを検出させる処理制御手段とを含み、処理制御手段は、演算処理手段の検出結果に基づいて電話回線接続手段に前記通信網からのダイヤルトーン信号が電話回線を介して供給されているか否かを判定する判定手段と、判定手段の判定結果に応じた出力を表示する表示手段とを含むとよく、この場合、処理制御手段に接続され、コンピュータネットワークとの接続制御を行うLANインタフェース手段と、LANケーブルを着脱可能に接続するLAN接続手段とを含み、処理制御手段は、コンピュータ網を介在して音声通話を行うためのVoIP処理を行って、音声パケットをLANインタフェース手段を介してコンピュータ網と送受信するとよい。
【発明の効果】
【００１４】
本発明によれば、電話回線のダイヤルトーンを検出して電話回線の正常性を判定し、電話回線が正常に接続されているか否かを表示することができる。
【発明を実施するための最良の形態】
【００１５】
次に添付図面を参照して本発明による通信装置の実施例を詳細に説明する。
【実施例】
【００１６】
図１を参照すると、同図には本発明が適用されたIP電話アダプタ装置10が示されている。このIP電話アダプタ装置10は、たとえばADSL回線を接続し、アナログ電話機を使用してVoIP通話を行うためのインターネットプロトコル電話アダプタ装置である。アナログ電話機は、IP電話アダプタ装置10に接続したADSL回線のアナログ電話帯域を使用して従来同様にアナログによる音声通話も行うことができる。
【００１７】
IP電話アダプタ装置10は、電話回線L1,L2が接続される回線コネクタ12と、図２に示す電話機(TEL)を接続する電話コネクタ14と、コンピュータ装置200およびADSLモデム210を接続する複数のLANコネクタ16とを備え、LANコネクタ16はLAN I/F回路18にそれぞれ接続されている。回線コネクタ12および電話コネクタ14は、本実施例では６極の接続端子を有するRJ-11型モジュラジャックが採用されている。また、LANコネクタ16は、８極の接続端子を有するRJ-45型モジュラジャックが採用されている。なお、回線コネクタ12は図２に示したようにモジュラケーブル220にてスプリッタ230に接続され、スプリッタ230の他方のコネクタにはADSLモデム210が接続される。スプリッタ230はさらに宅内に設置されたRJ-11型のモジュラジャックのコネクタ240に接続される。スプリッタ230の各コネクタは同様にそれぞれRJ-11型のモジュラジャックにて構成されている。
【００１８】
回線コネクタ12および電話コネクタ14のL1端子は図１に示すようにそれぞれスイッチ(SW) 20に接続され、電話コネクタ12および14の各L2端子は互いに接続されるともに、ループ形成回路24および変成器26に接続されている。
【００１９】
スイッチ(SW) 20は、回線コネクタ12のL1端子を電話コネクタ14のL1端子側または電流検出回路22に接続して切り替えるスイッチである。スイッチ20は、電話コネクタ14に接続した電話機がオンフック状態であるときに回線コネクタ12を電話コネクタ14に接続し、オフフック状態時に切り替えて回線コネクタ12のL1端子を電流検出回路22に接続する。この場合の切り替えは電流検出回路22の電流検出に応動して行われる。さらにスイッチ20は、CPU 34から供給される切換信号に応動して接続切替を行うことができる。電流検出回路22は、直流電流を検出すると検出信号をスイッチ20に供給する直流検出回路である。
【００２０】
スイッチ20は、制御回路(CPU) 34の制御により電話回線が正常に接続されているか否かを検査する際に、制御回路34からの切換信号を受けて回線コネクタ12のL1端子を電流検出回路22に接続して直流ループを形成させる。ループ形成回路24は、電流検出回路22とL2端子側とに並列に挿入された抵抗を含み、通信網側より局給電された電話回線の直流ループを形成する直流形成回路である。
【００２１】
なお、スイッチ20は、電話コネクタ14に接続した電話機を使用してVoIP通信による通話を行う場合には、制御回路24からの切換信号に応動して電話コネクタ14のL1端子を電流検出回路22に接続切り替えするように構成されている。
【００２２】
変成器26は、音声信号成分を通過させるフィルタ機能を有するトランスにて形成されて直流成分を除去して交流成分を通過させるとともに、局側の２線式線路と通信装置10内部側の４線式線路とを結合させるハイブリッドトランスである。
【００２３】
これらスイッチ20、電流検出回路22、ループ形成回路24および変成器26により網側を終端する網制御部28を形成している。
【００２４】
CODEC 30は、網制御部28に接続され、アナログ／ディジタル変換および逆変換機能を有する。CODEC 30は、アナログの音声信号をディジタル音声信号に符号化し、またディジタル音声信号をアナログに復号する。CODEC 30は、DSP 32から出力される符号化データをアナログ音声に変換してアナログ音声信号を網制御部28に出力するとともに、網制御部28から送出されるアナログ音声信号をディジタル音声信号に変換してDSP 32に出力する。
【００２５】
DSP 32は、ディジタル信号を演算処理するディジタル信号処理プロセッサ(Digital Signal Processor)である。DSP 32は、ディジタル音声信号に対する圧縮および伸張処理機能と、トーン信号を生成する機能と、ディジタル音声信号を解析してトーン信号を検出する処理機能とを含む。
【００２６】
DSP 32は、CODEC 32から出力されるディジタル音声信号を演算処理して解析し、その音声信号データがダイヤルトーン(DT)信号であるか否かを判定する機能を有する。DSP 32は、制御回路34の制御に従ってダイヤルトーン信号の有無および品質を演算処理により判定し、正常なダイヤルトーン信号を検出するとその検出結果を制御回路34に通知する。
【００２７】
制御回路(CPU) 34は、ADSL回線を介して通信するVoIP通信を制御する処理回路であり、マイクロコンピュータおよび記憶回路等の周辺回路にて形成され、記憶回路に格納されているプログラムに応じた手順にて各部を制御し、また、音声信号に対する処理を行う。詳しくは、制御回路34は、音声信号から音声パケットを組み立てて制御パケットとともにLAN I/F回路18に出力し、LAN I/F回路18から出力されて入力されるパケットを分解して音声信号および制御信号を再生するパケット処理機能を有している。制御回路34は、たとえばITU-T 勧告H.323に準拠する呼処理や音声パケット制御、およびUDP/IP(User Datagram Protocol/Internet Protocol)処理等のVoIP(Voice over Internet Protocol)処理を行う。
【００２８】
制御回路34に接続されたLAN I/F回路18は、コネクタ16に接続されるたとえばADSLモデム210（図２）やコンピュータ装置200（図２）とパケットを送受信するネットワークインタフェース回路である。
【００２９】
制御回路34は、さらに網制御部28を制御するとともに、とくに回線コネクタ12に接続される電話回線を監視して、電話回線が正常状態であるか否かを判断する監視機能を備えている。
【００３０】
この回線接続状態の監視動作は、スイッチ20に切換信号を出力して直流ループを形成させた状態にてCODEC 30およびDSP 32を起動させ、DSP 32の判定結果を認識することにより、電話回線が正常に回線コネクタ12に接続されているか否かを判断する。制御回路34は、その判断結果に応じた出力をLED等の表示器36に出力して、たとえば点灯させることにより表示させる。この表示は、光の明滅などに限らず、たとえばブザー等による確認音などの各種可聴表示出力を行う構成でもよい。
【００３１】
この監視動作は、実際の情報通信時を除く期間に行うことができる。制御回路34は、たとえば、あらかじめ設定してある時刻などのように所定の時間間隔毎に繰り返し監視動作を行うように周期的に制御する。また、制御回路34は、監視動作を手動操作に応動して行うことができる。さらに、たとえばコネクタ16に接続されるコンピュータ装置200やADSLモデム210から監視指令が制御回路34に入力されると回線状態の監視を行うことができる。また、監視動作をIP電話アダプタ装置10の電源投入時にも自動的に行うことができる。なお、制御回路34は、上述したダイヤルトーンの検出に加えて、たとえば電流検出回路22の電流検出時における極性検出機能を組み合わせて、誤接続の監視動作を行ってもよい。
【００３２】
このように、IP電話アダプタ装置10に備えられている回線コネクタ12と電話コネクタ14とは同一サイズおよび同一形状のモジュラジャックが採用されており、このモジュラジャックはさらにスプリッタや宅内に引き込まれているADSL回線のモジュラジャックと同一形状およびサイズである。さらにLANケーブルにて接続するLANコネクタ16は、RJ-11型よりもサイズの大きなRJ-45型のモジュラジャックで構成されており、RJ-11型モジュラジャック用のモジュラコードをRJ-45型のモジュラジャックに実質的に接続可能な構造となっている。
【００３３】
このため、新規設置作業時や配線替え時等において、電話機コードを誤って回線コネクタ12に接続したり、電話回線220を誤って電話コネクタ14に差し込んでしまったりする誤接続を完全に避けることができない。さらに電話回線220のモジュラプラグをLANコネクタ16に差し込んでしまうこともあり得る。しかし、本IP電話アダプタ装置10では、電話回線220が正常に接続されているか否かをその直流ループを形成させて、信号処理したダイヤルトーンを検出することによって、正常な回線が回線コネクタ12に接続されているか否かを判定し、その状態を表示することができる。
【００３４】
本実施例では、電話回線の正常な接続状態を確認すると表示器36を点灯させる。したがって、設置作業中にモジュラプラグを回線コネクタに接続した際などに表示器36が点灯しない場合には誤接続であることを示すことができ、また点灯の場合には回線の正常性を示すことができる。なお、この監視動作は、電話コネクタ14に電話機を接続していない状態でも行うことができる。
【００３５】
なお、実施例では、電話回線監視機能をIP電話アダプタ装置10に適用したが、これに限らず、たとえばADSLモデムやアナログモデム等の他の通信装置にも適用することができる。
【図面の簡単な説明】
【００３６】
【図１】本発明が適用されたIP電話アダプタ装置の実施例を示すブロック図である。
【図２】IP電話アダプタ装置等の結線状態を示すブロック図である。
【符号の説明】
【００３７】
10  IP電話アダプタ装置
12  回線コネクタ
14  電話コネクタ
16  LANコネクタ
18  LAN I/F回路
20  スイッチ(SW)
22  電流検出回路
24  ループ形成回路
26  変成器
28  網制御部
30  CODEC
32  DSP
34  制御回路(CPU)
36  表示器
【図１】
2005184177.tif 000003
【図２】
2005184177.tif 000004